(57)【要約】【課題】材料の寸法が小さく、重量も軽く、移動が容易で、高温時に屋台内の温度が過度に上昇しない組立式店舗及びその組立方法の提供。  【解決手段】本体が、中空パイプで構成された骨組状の部材である本体第１部分及び本体第２部分と、軽量な材料で断熱材が内蔵されて天井部を構成する本体第３部分を備え、本体第１部分と本体第２部分と本体第３部分は締結部材で締結可能であり、本体第１部分と本体第２部分の底部には移動用部材が取り付けられており、本体内には什器が配置されており、当該什器は中空のパイプで構成されて全体が骨組状となっており、当該骨組状の什器に複数のキャンディー容器が配置されている。【選択図】図５
2014227795.tif 000002
【特許請求の範囲】
【請求項１】
本体が、中空パイプで構成された骨組状の部材である本体第１部分及び本体第２部分と、軽量な材料製で断熱材が内蔵されて天井部を構成する本体第３部分を備え、
本体第１部分と本体第２部分と本体第３部分は締結部材で締結可能であり、
本体第１部分と本体第２部分の底部には移動用部材が取り付けられており、
本体内には什器が配置されており、当該什器は中空のパイプで構成されて全体が骨組状となっており、当該骨組状の什器に複数のキャンディー容器が配置されていることを特徴とする組立式店舗。
【請求項２】
空調機の室内機及び室外機が設置されている請求項１の組立式店舗。
【請求項３】
シャッターボックスが取り付けられている請求項１、２の何れかの組立式店舗。
【請求項４】
オーニングが配置されている請求項１〜３の何れか１項の組立式店舗。
【請求項５】
請求項１〜４の何れか１項の組立式店舗の組立方法において、
中空パイプで構成された骨組状の部材である本体第１部分と本体第２部分を締結部材で締結する工程と、
締結された本体第１部分及び本体第２部分に、軽量な材料製で断熱材が内蔵されて天井部を構成する本体第３部分を締結部材で締結する本体組立工程と、
中空パイプにより階段状に構成された什器の部分を組み合わせ、組み合わされた部分の頂部を什器天井部により挟み込み、締結部材で一体的に締結する什器組立工程と、
本体内部に組み立てられた什器を内蔵する工程を有することを特徴とする組立方法。
【発明の詳細な説明】
【技術分野】
【０００１】
本発明は移動可能な組立式店舗、例えばお菓子（キャンディー等）の量り売りに好適な用いられる屋台に関する。
【背景技術】
【０００２】
近年、鉄道の駅に隣接した商業施設に移動可能な組立式店舗（屋台）を設置したいという要請が存在している。
しかし、係る商業施設に屋台を設置する場合には、屋台組立のための材料を運搬するために、鉄道駅の構内を移動しなければならない。ここで鉄道駅の構内は多数の通行者で混雑している場合が多く、屋台組立のための材料を運搬しようすると、通行の邪魔となり、駅の構内をより混雑させてしまう可能性がある。
また、鉄道駅の構内で荷物を運搬するために自動車を用いることは不可能であり、人力で部材を運搬しなければならない。
しかし、屋台組立のための材料の寸法が大きい場合、重量が大きい場合には、人手では迅速な運搬が困難となり、その結果、通行の邪魔となり、混雑に拍車を掛けてしまう。
【０００３】
近年、キャンディーの量り売りという販売システムの人気が上昇しており、キャンディーの量り売り用の屋台が鉄道の駅に隣接した商業施設に設けられるケースが存在している。
しかし、キャンディーは高温時に溶融してしまう場合が多い。
そのため、キャンディーの量り売り屋台において、特に夏季の高温時には、キャンディーが溶融しない様にする必要がある。
そのため、屋台組立のための材料の寸法が小さく、重量も軽く、容易且つ迅速に設置箇所まで移動できて、しかも、夏季の高温時に屋台内の温度が過度に（例えば、キャンディーが溶融してしまう程度まで）上昇しない技術が望まれる。
しかし、現時点において、その様な技術は提案されていない。
【０００４】
その他の従来技術として、一人で組立及び分解を行うことが出来て、分解後は軽自動車で運搬することが出来る屋台が提案されている（特許文献１参照）。
しかし、係る従来技術（特許文献１）は、焼き鳥の移動販売における衛生面の規制を充足することを目的としており、屋台組立のための材料の寸法を小さくして軽量化し、容易且つ迅速に設置箇所まで移動可能であり、しかも、夏季の高温時に屋台内の温度が過度に上昇しない様にすることは企図していない。また、軽自動車で運搬することを前提としているので、鉄道駅の構内を移動することは出来ない。
【先行技術文献】
【特許文献】
【０００５】
【特許文献１】特開２００４−２７０１３８号公報
【発明の概要】
【発明が解決しようとする課題】
【０００６】
本発明は上述した従来技術の問題点に鑑みて提案されたものであり、組立のための材料の寸法が小さく、重量も軽く、容易且つ迅速に設置箇所まで移動できて、しかも、夏季の高温時に屋台内の温度が過度に（例えば、キャンディーが溶融してしまう程度まで）上昇しない組立式店舗及びその組立方法の提供を目的としている。
【課題を解決するための手段】
【０００７】
本発明の組立式店舗（屋台５００）は、本体が、中空パイプ（例えば、角パイプ）で構成された骨組状の部材である本体第１部分（本体Ａユニット１００）及び本体第２部分（本体Ｂユニット２００）と、軽量な材料で断熱材が内蔵されて（組立式店舗あるいは屋台の）天井部を構成する本体第３部分（Ｃユニット３００）を備え、
本体第１部分（１００）と本体第２部分（２００）と本体第３部分（３００）は締結部材（例えばボルトＢ・ナットＮ）で締結可能であり、
本体第１部分（１００）と本体第２部分（２００）の底部には移動用部材（例えば、車輪やキャスター１）が取り付けられており、
本体内（１００、２００）には什器（４００）が配置されており、当該什器（４００）は中空のパイプで構成されて全体が骨組状となっており、当該骨組状の什器に複数のキャンディー容器（４５０）が配置されていることを特徴としている。
【０００８】
本発明の組立式店舗（５００）には空調機の室内機（４）及び室外機（５）が設置されていることが好ましい。
【０００９】
また本発明の組立式店舗（５００）にはシャッターボックス（２Ａ、２Ｂ）が取り付けられているのが好ましい。あるいは、オーニング（３Ａ、３Ｂ）が配置されているのが好ましい。
【００１０】
本発明の組立式店舗（１００：屋台：請求項１〜４の何れか１項の組立式店舗）の組立方法は、
中空パイプで構成された骨組状の部材である本体第１部分（本体Ａユニット１００）と本体第２部分（本体Ｂユニット２００）を締結部材（例えばボルトＢ・ナットＮ）で締結する工程（図３）と、
締結された本体第１部分（１００）及び本体第２部分（２００）に、軽量な材料製で断熱材が内蔵されて（組立式店舗あるいは屋台の）天井部を構成する本体第３部分（Ｃユニット３００）を締結部材（例えばボルトＢ・ナットＮ）で締結する（組立式店舗あるいは屋台の）本体組立工程（図４）と、
中空パイプにより階段状に構成された什器の部分（ユニット４１０Ａ、４１０Ｂ）を組み合わせ、組み合わされた部分（ユニット４１０Ａ、４１０Ｂ）の頂部を天板（キャンディー什器屋根４４０）により挟み込み、締結部材（ボルトＢ、ナットＮ）で一体的に締結する什器組立工程（図７、図８）と、
本体５００内部に組み立てられた什器（４００）を内蔵する工程（図９）を有している。
【発明の効果】
【００１１】
上述する構成を具備する本発明によれば、組立式店舗（屋台５００）を構成する本体第１部分（本体Ａユニット１００）と本体第２部分（本体Ｂユニット２００）は中空パイプで構成された骨組状の部材であるため軽量であり、運搬が容易である。
ここで、本体第１部分（１００）と本体第２部分（２００）の底部には移動用部材（例えば、車輪やキャスター１）が取り付けられているので、例えば駅構内のように多数の通行者で混雑している場所でも、軽量な本体第１部分（１００）と本体第２部分（２００）を作業員が押圧することにより、安全且つ迅速に所定箇所まで移動することが可能となる。
これに加えて、組立式店舗（屋台５００）を構成する本体第３部分（Ｃユニット３００）も軽量な材料で構成することが出来るので、作業員により安全且つ迅速に運搬することが出来る。
【００１２】
本発明によれば、軽量の本体第１部分〜第３部分を締結部材（例えばボルトＢ・ナットＮ）で締結することにより、組立式店舗（屋台５００）の本体が組み立てられるので、組立に必要な労力が極めて小さく、且つ、短時間で組み立てることが出来る。
そのため混雑する商業施設においても通行の邪魔になる可能性が小さく、問題なく店舗（屋台５００）を組み立てて設置することができる。
【００１３】
本発明によれば、本体第１部分（１００）〜第３部分（３００）は骨組状の部材で構成されており、当該骨組状の部材は空気の流れを遮断してしまうことがない。そのため、本発明に係る組立式店舗内は風通しが良い状態が維持され、内部に空気が滞留してしまうこともない。
そして、風通しが良く、内部に空気が滞留しないため、組立式店舗内が異常に昇温して、例えばキャンディーのような商品が溶融してしまう恐れが低減する。
【００１４】
また本発明において、キャンディーを収容する容器を配置するために用いられる什器（４００）も中空のパイプで構成されており、全体が骨組状となっており、当該骨組状の什器（４００）に複数のキャンディー容器（４５０）が配置されるので、複数のキャンディー容器（４５０）が配置された状態でも什器（４００）の内部は空気が流通して、いわゆる「風通しが良い」状態が維持される。そのため、什器（４００）に配置されたキャンディー用容器（４５０）の周辺部に空気の流れが形成され、キャンディー用容器（４５０）に滞留した熱を奪い、キャンディー容器（４５０）の周囲の昇温が防止され、容器（４５０）内部のキャンディーが溶融してしまう事態が防止される。
【００１５】
本発明において、組立式店舗（５００）の屋根に相当する本体第３部分（Ｃユニット３００）には断熱材が内蔵されているので、夏季の様に強烈な日差しが直接照り付ける状態であっても、組立式店舗（５００）内部の温度は屋台外部ほど上昇しない。
そして、本発明に係る組立式店舗（５００）には空調機（４、５）を設置することが出来るので、本体第３部分（３００）に内蔵されている断熱材と前記空調機（４、５）により、組立式店舗（５００）内の温度上昇が抑制され、組立式店舗（５００）内の顧客に温度上昇による不快感を与える可能性が低い。
そのため、例えば組立式店舗（５００）でキャンディーが量り売りされる場合に、当該キャンディー（キャンディー以外の菓子を販売する場合には、当該菓子）が溶融してしまう事態が防止される。
【００１６】
さらに本発明の組立式店舗にはシャッターボックス（２Ａ、２Ｂ）を取り付けることが可能であり、シャッターボックス（２Ａ、２Ｂ）からシャッターを引き出して組立式店舗（５００）を覆うことにより、商業施設に人がいない時間帯（夜間等）における防犯が可能である。
それに加えて、本発明の組立式店舗（５００）にオーニング（３Ａ、３Ｂ）を配置して、オーニング（３Ａ、３Ｂ）から膜状部材（スクリーン）を引き出すことにより、当該膜状部材を日除けとして利用することが可能となり、あるいは、顧客を雨水から遮って雨宿りのスペースを提供することが可能である。
【図面の簡単な説明】
【００１７】
【図１】本発明の実施形態に係るキャンディー量り売り用の屋台を示す斜視図である。
【図２】図１で示す屋台を３つの部分によって組み立てる前の状態を示す斜視図である。
【図３】図１で示す屋台を組み立てる工程を示す工程図である。
【図４】図１で示す屋台を組み立てる工程であって、図３で示す工程の次工程を示す工程図である。
【図５】図４で示す工程の後に、オーニングとシャッターボックスを取り付ける状態を示す斜視図である。
【図６】屋台の内部に設置されるキャンディー什器の斜視図である。
【図７】図６で示すキャンディー什器を組み立てる工程を示す工程図である。
【図８】図６で示すキャンディー什器を組み立てる工程であって、図７で示す工程の次工程を示す工程図である。
【図９】組み立てられた屋台内にキャンディー什器を配置した状態を示す図である。
【図１０】組み立てられた屋台に空調機の室内機及び室外機を取り付けた状態を示す側面図である。
【発明を実施するための形態】
【００１８】
以下、添付図面を参照して、本発明の実施形態について説明する。
図１において、組立式店舗（屋台）５００は、本体第１部分（以下、「本体Ａユニット」と言う）１００と、本体第２部分（以下、「本体Ｂユニット」と言う）２００と、本体第３部分（以下、「本体Ｃユニット」と言う）３００を備えている。
【００１９】
本体Ａユニット１００及び本体Ｂユニット２００は、中空パイプ（例えば角パイプ、あるいは断面円形のパイプ）で構成された骨組み状の部材である。
本体Cユニット３００は、主要骨組みが中空パイプ（例えば角パイプ、あるいは断面円形のパイプ）で構成され、内部に軽量な材料で断熱材が内蔵されて組立式店舗５００の天井部を構成している。
本体Ａユニット１００と本体Ｂユニット２００は、図１における矢印ＡＢ方向（図１では左右方向）について一体に接続されている。
【００２０】
図１で示す組立式店舗５００は、キャンディーの量り売り用の屋台として使用される。
図示の実施形態では、本体Ａユニット１００と本体Ｂユニット２００が接続された状態において、図１の矢印Ｃ、Ｄ方向の両側面（Ｃ面、Ｄ面）の上部にはシャッターボックス２Ａ及びオーニング（日除け部材）３Ａが取り付けられ、矢印Ｂ方向の面（面Ｂ）の上部にはシャッターボックス２Ｂ及びオーニング（日除け部材）３Ｂが取り付けられている。
【００２１】
本体Ｃユニット３００における図１の上面右端（Ｂ側端部）には、エアコンディショナーの室外機５が設置されている。エアコンディショナーの室内機については後述する。
本体Ｃユニット３００における図１のＣ側端部には、サイン（看板）６００が配置されており、当該サイン６００には、例えば移動式店舗の経営母体の名称（例えば、出願人の名称）或いは屋号が表示される。
【００２２】
図１において、組立式店舗５００の左方（矢印Ａ方向の端面：面Ａ）には、例えば既存のプレハブ建造物（図示は省略する）が配置されている。
当該プレハブ建造物の内部には、例えば会計用のレジスターマシンが設置されている。
【００２３】
図２は、組立式店舗５００を構成する本体Ａユニット１００と、本体Ｂユニット２００と、本体Ｃユニット３００の各ユニットについて、それぞれ示している。
【００２４】
本体Ａユニット１００は、例えば軽量アルミ合金素材製の中空パイプ（例えば角パイプ：中空パイプが共通の断面形状を有している）と、例えば軽量の樹脂性パネルによる腰板（符号１５、１６）と、スノコ状の床１７と、接続金具１８、１９と、４個のキャスター（車輪）１を備えている。
【００２５】
本体Ａユニット１００の骨組みは、底部枠部材１１と、上端枠部材１２と、４本の角柱１３と、腰板上端の３本の保護用梁１４Ａ、１４Ｂ、１４Ａとで構成されている。
底部枠部材１１は、矢印Ｃ、Ｄ方向の１対の梁１１Ａと、矢印Ａ、Ｂ方向の１対の梁１１Ｂが、公知の手段（例えば溶接）によって、「ロ」字状に相互に組まれている。
上端枠部材１２は、矢印Ｃ、Ｄ方向の１対の梁１２Ａと、矢印Ａ、Ｂ方向の１対の梁１２Ｂが、公知の手段（例えば溶接）によって、「ロ」字状に相互に組まれている。
底部枠部材１１と上端枠部材１２とは、共通の部材で構成することが出来る。
【００２６】
４本の角柱１３は、底部枠部材１１と上端枠部材１２において、同一の添字（Ａ、Ｂの何れか）が付せられた部材の端部同士を、公知の手段（例えば溶接）によって直角に接合している。
そして本体Ａユニット１００は、全体が籠状に組み立てられている。
【００２７】
底部枠部材１１で囲まれた全領域には、スノコ板を張り巡らした床１７が形成されている。当該床１７の裏面には４つのキャスター１が取り付けられている。
鳥籠状の面Ｃ（本体Ａユニット１００の矢印Ｃ方向の端面）、面Ｄ（本体Ａユニット１００の矢印Ｄ方向の端面）の下端部及び面Ｂ（本体Ａユニット１００の矢印Ｂ方向の端面）の下端部には腰板１５、１５、１６が張られ、当該腰板１５、１５、１６の上端は保護用梁１４Ａ、１４Ａ、１４Ｂと結合している。
面Ａ（本体Ａユニット１００の矢印Ａ方向の端面）における底部枠部材１１の梁１１Ｂの両端近傍の下面には、垂直に配置された１対の接続板１８が取り付けられている。また、面Ａにおける上端枠部材１２の梁１２Ｂの両端近傍の下面にも、垂直に配置された１対の接続板１８が公知の手段（例えば溶接）によって取り付けられている。
図２では明示されていないが、４枚の接続板１８の中央にはボルト孔１８ｈが形成されている。
【００２８】
面Ｂの梁１２Ｂと１対の梁１２Ａとで形成される２箇所のコーナー部には接続板１９が水平に配置されており、接続板１９は公知の手段（例えば溶接）によって取り付けられている。
２枚の接続板１９の中央にはボルト孔１９ｈが形成されている。
【００２９】
図２で示す本体Ｂユニット２００は、例えば軽量アルミ合金素材である中空パイプ（例えば角パイプ：共通の断面形状を有している）と、例えば軽量の樹脂性パネルによる腰板（符号２５、２６）と、スノコ板による床材料２７と、接続金具２８、２９と、４個のキャスター（車輪）１を備えている。
【００３０】
本体Ｂユニット２００の骨組みは、底部枠部材２１と、上端枠部材２２と、４本の角柱２３と、腰板上端の３本の保護用梁２４Ａ、２４Ｂ、２４Ａとで構成されている。
底部枠部材２１は、矢印Ｃ、Ｄ方向の１対の梁２１Ａと、矢印Ａ、Ｂ方向の１対の梁２１Ｂが、公知の手段（例えば溶接）によって、「ロ」字状に相互に組まれている。
上端枠部材２２は、矢印Ｃ、Ｄ方向の１対の梁２２Ａと、矢印Ａ、Ｂ方向の１対の梁２２Ｂが、公知の手段（例えば溶接）によって、「ロ」字状に相互に組まれている。
底部枠部材２１と上端枠部材２２とは、共通の部材で構成することが出来る。
【００３１】
４本の角柱２３は、底部枠部材２１と上端枠部材２２において、同一の添字（Ａ、Ｂの何れか）が付せられた部材の端部同士を、公知の手段（例えば溶接）によって直角に接合している。
そして本体Ｂユニット２００は、全体が籠状に組み立てられている。
【００３２】
底部枠部材２１で囲まれた領域には、スノコ状の床２７が形成されている。当該床２７の裏面には４つのキャスター１が取り付けられている。
面Ｃ（本体Ｂユニット２００の矢印Ｃ側の端面）、面Ｄ（本体Ｂユニット２００の矢印Ｄ側の端面）の下端部及び面Ａの下端部には腰板２５、２６が張られ、当該腰板の上端は保護用梁２４Ａ、２４Ａ、２４Ｂと結合されている。
面Ｂ（本体Ｂユニット２００の矢印Ｂ側の端面）における底部枠部材２１の梁２１Ｂの両端近傍の下面には、垂直に配置された１対の接続板２８が取り付けられている。面Ｂにおける上端枠部材２２の梁２２Ｂの両端近傍の下面にも、垂直に配置された１対の接続板２８が、公知の手段（例えば溶接）によって取り付けられている。４枚の接続板２８の中央にはボルト孔２８ｈが形成されている。
【００３３】
本体Ｂユニット２００における４枚の接続板２８のボルト孔２８ｈの左右方向の位置と垂直方向位置は、本体Ａユニット１００における４枚の接続板１８のボルト孔１８ｈの左右方向の位置及び垂直方向位置と整合するように、設定されている。
【００３４】
上端枠部材２２における面Ａ（本体Ｂユニット２００の矢印Ａ側の端面）の梁２２の両端と１対の梁２２Ａとで形成される２箇所のコーナー部には、接続板２９が水平に配置されている。接続板２９は、公知の手段（例えば溶接）によって取り付けられている。
２枚の接続板２９の中央にはボルト孔２９ｈが形成されている。
【００３５】
本体Ｃユニット３００は、例えば軽量アルミ合金素材製の中空パイプ（例えば角パイプ：共通の断面形状を有している）と、例えば軽量の樹脂パネルによる側板（符号３５、３６）と、屋根部材（板状部材）３７で構成されている。
側板３５、３６、図示の実施形態では透明な部材として表示しているが、着色材であっても良い。
【００３６】
本体Ｃユニット３００の骨組みは、下部枠部材３１と、上部枠部材３２と、４本の短い角柱３３で構成されている。
上部枠部材３１は、矢印Ｃ、Ｄ方向の１対の梁３１Ａと、矢印Ａ、Ｂ方向の１対の梁３１Ｂが、公知の手段（例えば溶接）によって、「ロ」字状に相互に組まれている。
上部枠部材３２は、矢印Ｃ、Ｄ方向の１対の梁３２Ａと、矢印Ａ、Ｂ方向の１対の梁３２Ｂが、公知の手段（例えば溶接）によって、「ロ」字状に相互に組まれている。
下部枠部材３１と上部枠部材３２とは、共通の部材で構成することが出来る。
【００３７】
４本の短い角柱３３は、下部枠部材３１と上部枠部材３２において、同一の添字（Ａ、Ｂの何れか）が付せられた部材の端部同士を、公知の手段（例えば溶接）によって直角に接合している。そして、本体Ｃユニット３００は、全体として、薄い籠状に組み立てられている。当該薄い籠状の４つの側面は、樹脂パネルによる側板３５、３６で覆われている。
上部枠部材３２の上端面を覆うように、屋根部材３７が取り付けられている。
【００３８】
下部枠部材３１の４箇所のコーナーには接続板３９が水平に配置されて取り付けられている。当該接続板３９の各々の中心にはボルト孔３９ｈが形成されている。
本体Ｃユニット３００において、４枚の接続板３９のボルト孔３９ｈの矢印ＣＤ方向の位置及び矢印ＡＢ方向の位置は、本体Ａユニット１００と本体Ｂユニット２００を接続した状態において、接続板１９、２９のボルト孔１９ｈ、２９ｈの矢印ＣＤ方向の位置及び矢印ＡＢ方向の位置と整合する様に設定されている。
【００３９】
次に、図３、図４に基づいて、本体Ａユニット１００、本体Ｂユニット２００、本体Ｃユニットを順次接続して、組み立て式店舗５００を構築する手順について説明する。
【００４０】
図３で示す様に、店舗を設置する予定位置に本体Ａユニット１００を運び込み、本体Ａユニット１００のキャスターをロックして本体Ａユニット１００を定位置に固定する。
次に、本体Ｂユニット１００を手押しして運び込む。ここで、店舗を設置する予定位置に最初に本体Ｂユニット１００を運び込み、次に本体Ｂユニット１００を運び込んでも良い。
【００４１】
次に本体Ｂユニット２００の接続板２８を本体Ａユニット１００の接続板１８に当接させ、本体Ｂユニット２００の接続板２８のボルト孔２８ｈの位置を、本体Ａユニット１００の接続板１８のボルト孔１８ｈの位置と整合させる。
そして、本体Ａユニット１００の接続板１８と本体Ｂユニット２００の接続板２８（４箇所）を、ボルトＢ及びナットＮによって締結、接続する。
【００４２】
次に、図４で示す様に、本体Ａユニット１００と本体Ｂユニット２００を接続した状態のユニット上から、本体Ｃユニット３００を被せる。
本体Ｃユニット３００は軽量であるため、本体Ａユニット１００と本体Ｂユニット２００上に人力で容易に持ち上げることが出来る。
本体Ａユニット１００と本体Ｂユニット２００を接続して本体Ｃユニット３００を被せた状態で、本体Ｃユニット３００における接続板３９のボルト孔３９ｈ（図４では図示を省略）の位置を、本体Ａユニット１００の接続板１９のボルト孔１９ｈ、本体Ｂユニット２００の接続板２９のボルト孔２９ｈ（図４では図示を省略）の位置と整合させる。
そして、本体Ｃユニット３００の接続板３９と、本体Ａユニット１００の接続板１９と、本体Ｂユニット２００の接続板２８（４箇所）を、ボルトＢ及びナットＮによって締結、接続する。
【００４３】
図２で示すように、図示の実施形態に係る屋台５００（図１参照）を構成する本体Ａユニット１００と本体Ｂユニット２００は、中空パイプ（例えば、角パイプ）で構成された骨組状の部材であるため、軽量である。そのため、図３、図４で示す手順を人力により容易に実行することが出来る。
それに加えて、中空パイプで構成された骨組状の部材は空気の流れを遮断してしまうことがないので、組み立てられた屋台５００内は風通しが良い状態が維持され、内部に空気が滞留してしまうこともない。
【００４４】
ここで、本体Ａユニット１００と本体Ｂユニット２００の底部には移動用のキャスター１が取り付けられている。
そのため、例えば駅の構内のように多数の通行者で混雑している場所でも、軽量な本体Ａユニット１００と本体Ｂユニット２００を人手により押すことで、安全且つ迅速に所定箇所まで移動することが可能である。
屋台５００の天井部分を構成するＣユニット３００も軽量な材料や中空パイプで構成することが出来るので全体が軽量であり、人手により安全且つ迅速に運搬することが出来る。
【００４５】
図示の実施形態によれば、屋台５００の組み立てに際しては、軽量の本体Ａユニット１００、本体Ｂユニット２００及び本体Ｃユニット３００をボルトＢ、ナットＮで締結するのみで、屋台５００の本体が組み立てられる。そのため、組立の労力が極めて小さく、且つ、短時間で組み立てることが出来る。
そのため通行の邪魔になる可能性が小さく、混雑する商業施設においても問題なく屋台５００を構築して、設置することができる。
【００４６】
本体Ａユニット１００と本体Ｂユニット２００の底部（床側）にはスノコ状の床部材１７が配置されているので、本体Ａユニット１００と本体Ｂユニット２００の内側に顧客が立ち入ることが出来る。
【００４７】
本体Ａユニット１００、本体Ｂユニット２００と及びＣユニット３００を組み立てたならば、図５で示すように、シャッターボックス２Ａ（２箇所）、２Ｂ（１箇所）を少なくとも３箇所（図５の矢印Ｃ方向の端面、矢印Ｄ方向の端面Ｄ、矢印Ｂ方向の端面）に取り付ける。
シャッターボックス２Ａ、２Ｂを取り付けることにより、商業施設に人がいない時間帯（夜間等）においても、犯罪者が屋台５００内に侵入することが防止され、防犯上好適である。
なお、図５において、シャッターボックス２Ａ、２Ｂが取り付けられていない箇所（図５ではＡ側の面）については、明示されてはいないが、格子付きの窓を形成したパネルを配置することが出来る。
【００４８】
図５において、シャッターボックス２Ａ、２Ｂを取り付けた箇所（面）にはオーニング３Ａ（２箇所箇所）、３Ｂ（１箇所）が配置されている。
オーニング３Ａ、３Ｂを配置することにより顧客の日除けが可能となり、あるいは、顧客に対して雨宿りのスペースを提供することが出来る。
なお、シャッターボックス２Ａ、２Ｂとオーニング３Ａ、３Ｂについては、公知、市販のものを適用することが出来る。
【００４９】
図６は、キャンディーを収容する容器（４５０：図８参照）を配置するための什器４００を示している。この什器４００は、屋台５００内に配置される。
図６で示すように、什器４００は中空パイプ（例えば角パイプ４１１〜４２９：図７参照）及び天板４４０を有しており、全体が骨組状に構成されている。
そして、図８、図９で示すように、骨組状の什器４００に複数のキャンディー容器４５０（図８参照）が収容される。
什器４００は全体が骨組状であるため、複数のキャンディー容器４５０が配置された状態でも、風通しが良い状態に保たれる。そのため、キャンディー容器４５０の周囲に空気が滞留し、滞留した空気が昇温して、キャンディー容器４５０内部のキャンディーが溶融してしまうことが防止される。
【００５０】
什器４００の組立に際しては、図７で示すように、角パイプ４１１〜４２９により階段状に組み立てられた２つのユニット４１０Ａ、４１０Ｂを、２つのユニット４１０Ａ、４１０Ｂのパイプ４１２（図７で、ユニット４１０Ｂのパイプ４１２の符号は省略）同士を当接させる。
そして、ユニット４１０Ａ、４１０Ｂの頂部に天板４４０を配置し、天板４４０上面から図示しないボルト及びナットにより、ユニット４１０Ａ、４１０Ｂ、天板４４０を一体的に締結する（図６、図８参照）。
組み立てられた什器４００は、本体Ａユニット１００及び本体Ｂユニット２００のスノコ状の底面１７、２７上に配置される。
【００５１】
屋台５００は屋外に設置され、夏季は室内の温度上昇の恐れがある。
そのため図示の実施形態に係る屋台では、図９、図１０で示すように、空調機（エアコン：室内機４、室外機５）を設けて、屋台５００内の温度上昇を防止している。
明確には図示されていないが、屋台５００の屋根に相当する本体Ｃユニット３００には断熱材が内蔵されている。そのため、屋台５００内部の温度は屋台５００外部ほどは上昇しない。そのため、屋台５００内の温度上昇を防止する意味では、空調機（エアコン：室内機４、室外機５）は副次的な役割を担っている。
本体Ｃユニット３００に内蔵されている図示しない断熱材と、図９、図１０で示す空調機により、屋台５００内の温度上昇が防止され、屋台５００内の顧客に温度上昇による不快感を与えることが防止される。
【００５２】
さらに、図６〜図９で示すように、キャンディー什器４００は中空パイプにより骨組状に構成されているので風通しが良く、什器４００に配置されたキャンディー用容器４５０の周辺部には常に空気の流れＦｗ（図１０参照）が形成される。係る空気の流れＦｗによりキャンディー用容器４５０に滞留した熱を奪い、キャンディー用容器４５０の周辺部の温度上昇を防止する作用効果がある。
このように、図示の実施形態によれば屋台５００内の温度上昇が防止され、キャンディー用容器４５０周辺部の温度上昇が防止されるので、屋台５００で量り売りされるキャンディー（キャンディー以外の菓子を販売する場合には、当該菓子）が溶融してしまう事態が防止される。
【００５３】
なお、空調機４、５の設置は、屋台５００内に図６の什器４００を配置するのと同時であっても良いし、什器４００の配置後であっても良い。
あるいは、図５で示すシャッターボックス２Ａ、２Ｂ及びオーニング３Ａ、３Ｂの設置と同時であっても良いし、シャッターボックス２Ａ、２Ｂ及びオーニング３Ａ、３Ｂの設置後でも良い。
さらに、本体Ａユニット１００と本体Ｂユニット２００と本体Ｃユニット３００の組立後（図２、図４）であっても良い。
【００５４】
図示の実施形態はあくまでも例示であり、本発明の技術的範囲を限定する趣旨の記述ではないことを付記する。
【符号の説明】
【００５５】
１・・・キャスター
２Ａ・・・シャッターボックス
３Ａ・・・オーニング
４・・・空調機の室内機
５・・・空調機の室外機
１００・・・本体Ａユニット
２００・・・本体Ｂユニット
３００・・・本体Ｃユニット
４００・・・什器
５００・・・組み立て式店舗／屋台
【図１】
2014227795.tif 000003
【図２】
2014227795.tif 000004
【図３】
2014227795.tif 000005
【図４】
2014227795.tif 000006
【図５】
2014227795.tif 000007
【図６】
2014227795.tif 000008
【図７】
2014227795.tif 000009
【図８】
2014227795.tif 000010
【図９】
2014227795.tif 000011
【図１０】
2014227795.tif 000012